(57)【要約】      （修正有）【課題】発色性及び耐湿性に優れたインクの提供。【解決手段】特定構造を有するアントラピリドン系色材からなる第１の色材と、特定構造を有するキサンテン系色材からなる第２の色材と、を含有するインクジェット用のインク。【選択図】なし【特許請求の範囲】
【請求項１】
第１の色材及び第２の色材を含有するインクジェット用のインクであって、
前記第１の色材が、下記一般式（１）で表される化合物であり、
前記第２の色材が、下記一般式（２）で表される化合物であることを特徴とするインク。
2017171730.tif 000026
（前記一般式（１）中、Ｒ1はそれぞれ独立に、水素原子、アルキル基、ヒドロキシアルキル基、シクロアルキル基、モノアルキルアミノアルキル基、又はジアルキルアミノアルキル基を表し、Ｒ2はそれぞれ独立に、下記式（ｉ）乃至（ｉｖ）のいずれかで表される基を表し、Ｘは連結基を表し、Ｍはそれぞれ独立に、水素原子、アルカリ金属、アンモニウム、又は有機アンモニウムを表す）
2017171730.tif 000027
（前記式（ｉ）及び（ｉｉ）中、Ｍはそれぞれ独立に、水素原子、アルカリ金属、アンモニウム、又は有機アンモニウムを表す。前記式（ｉｖ）中、Ｒ3は水素原子、アルキル基、又はアルコキシ基を表す）
2017171730.tif 000028
（前記一般式（２）中、Ｒ1はそれぞれ独立に、アルキル基、又はシクロアルキル基を表し、Ｍはそれぞれ独立に、水素原子、アルカリ金属、アンモニウム、又は有機アンモニウムを表す）
【請求項２】
インク全質量を基準とした、前記第２の色材の含有量Ｂ（質量％）が、前記第１の色材の含有量Ａ（質量％）に対する質量比率で、０．０５倍以上９．００倍以下である請求項１に記載のインク。
【請求項３】
前記一般式（１）で表される化合物が、下記一般式（３）で表される化合物である請求項１又は２に記載のインク。
2017171730.tif 000029
（前記一般式（３）中、Ｍはそれぞれ独立に、水素原子、アルカリ金属、アンモニウム、又は有機アンモニウムを表す）
【請求項４】
インクと、前記インクを収容するインク収容部とを備えたインクカートリッジであって、
前記インクが、請求項１乃至３のいずれか１項に記載のインクであることを特徴とするインクカートリッジ。
【請求項５】
インクをインクジェット方式の記録ヘッドから吐出して記録媒体に画像を記録するインクジェット記録方法であって、
前記インクが、請求項１乃至３のいずれか１項に記載のインクであることを特徴とするインクジェット記録方法。
【発明の詳細な説明】
【技術分野】
【０００１】
本発明は、インク、インクカートリッジ、及びインクジェット記録方法に関する。
【背景技術】
【０００２】
インクジェット記録方法は、インク小滴を記録媒体に付与して画像を形成する記録方法であり、その低価格化、記録速度の向上により、急速に普及が進んでいる。一般に、インクジェット記録方法で得られた記録物は、銀塩写真と比較してその画像の堅牢性が低い。特に、光、湿度、熱、空気中に存在するオゾンガスなどの環境ガスに長時間さらされた際に画像の色材が劣化し、色調変化や褪色が発生しやすいといった問題がある。
【０００３】
耐湿性とは、大気中の水分に起因して発生する画像の色調変化や滲みなどの現象に対する耐性のことをいう。マゼンタインクの色材としては、アントラピリドン系色材、アゾ系色材、及びキサンテン系色材などが広く使用されている。発色性の良好な画像を記録しうるキサンテン系色材は、その分子骨格が小さいものが多く、画像の耐湿性が低くなりやすい。また、その分子骨格が大きいアントラピリドン系色材やアゾ系色材を用いて画像を記録すると、耐湿性は向上するが発色性が低くなりやすい。
【０００４】
近年、耐湿性などに優れた画像を記録しうるアントラピリドン系色材が提案されている（特許文献１及び２）。また、発色性などに優れた画像を記録しうるキサンテン系色材が提案されている（特許文献３及び４）。さらに、アントラピリドン系色材とアゾ系色材を含有させることで、色調及び耐光性が良好な画像を記録しうるマゼンタインクが提案されている（特許文献５及び６）。さらに、キサンテン系色材とアゾ系色材を含有させることで、色調及び耐光性が良好な画像を記録しうるマゼンタインクが提案されている（特許文献７及び８）。
【先行技術文献】
【特許文献】
【０００５】
【特許文献１】特許第５１４５２４３号公報
【特許文献２】特許第５２２９７９５号公報
【特許文献３】特開２０１１−１４８９７３号公報
【特許文献４】特開２０１２−１９３３１１号公報
【特許文献５】特開２００５−１０５１３６号公報
【特許文献６】特開２００５−３０７０６８号公報
【特許文献７】特開２００７−２１７５２４号公報
【特許文献８】特開２００７−２１７５２５号公報
【発明の概要】
【発明が解決しようとする課題】
【０００６】
しかし、本発明者らの検討の結果、特許文献１及び２で提案された染料のみを含有するインクを用いた場合、近年要求される高いレベルの発色性を有する画像を記録することは困難であることがわかった。また、特許文献３及び４で提案された染料のみを含有するインクやインクセットを用いても、画像の発色性と耐湿性を近年要求される高いレベルで両立させることは困難であることがわかった。特に、大気中の水分による画像の色調変化を抑制するのは、特許文献３及び４で提案された染料では不十分であることがわかった。さらに、特許文献５〜８で提案されたインクに用いられる染料の組み合わせにおいても、発色性と耐湿性の両立が不十分であることがわかった。すなわち、従来の技術では、画像の発色性と耐湿性を近年要求される高いレベルで両立させることは困難であることがわかった。
【０００７】
したがって、本発明の目的は、発色性及び耐湿性に優れた画像を記録可能なインクを提供することにある。また、本発明の別の目的は、前記インクを用いたインクカートリッジ、及びインクジェット記録方法を提供することにある。
【課題を解決するための手段】
【０００８】
上記の目的は、以下の本発明によって達成される。すなわち、本発明によれば、第１の色材及び第２の色材を含有するインクジェット用のインクであって、前記第１の色材が、下記一般式（１）で表される化合物であり、前記第２の色材が、下記一般式（２）で表される化合物であることを特徴とするインクが提供される。
【０００９】
2017171730.tif 000002
（前記一般式（１）中、Ｒ1はそれぞれ独立に、水素原子、アルキル基、ヒドロキシアルキル基、シクロアルキル基、モノアルキルアミノアルキル基、又はジアルキルアミノアルキル基を表し、Ｒ2はそれぞれ独立に、下記式（ｉ）乃至（ｉｖ）のいずれかで表される基を表し、Ｘは連結基を表し、Ｍはそれぞれ独立に、水素原子、アルカリ金属、アンモニウム、又は有機アンモニウムを表す）
【００１０】
2017171730.tif 000003
（前記式（ｉ）及び（ｉｉ）中、Ｍはそれぞれ独立に、水素原子、アルカリ金属、アンモニウム、又は有機アンモニウムを表す。前記式（ｉｖ）中、Ｒ3は水素原子、アルキル基、又はアルコキシ基を表す）
【００１１】
2017171730.tif 000004
（前記一般式（２）中、Ｒ1はそれぞれ独立に、アルキル基、又はシクロアルキル基を表し、Ｍはそれぞれ独立に、水素原子、アルカリ金属、アンモニウム、又は有機アンモニウムを表す）
【発明の効果】
【００１２】
本発明によれば、発色性及び耐湿性に優れた画像を記録可能なインクを提供することができる。また、本発明によれば、このインクを用いたインクカートリッジ、及びインクジェット記録方法を提供することができる。
【図面の簡単な説明】
【００１３】
【図１】本発明のインクカートリッジの一実施形態を模式的に示す断面図である。
【図２】本発明のインクジェット記録方法に用いられるインクジェット記録装置の一例を模式的に示す図であり、（ａ）はインクジェット記録装置の主要部の斜視図、（ｂ）はヘッドカートリッジの斜視図である。
【発明を実施するための形態】
【００１４】
以下に、好ましい実施の形態を挙げて、さらに本発明を詳細に説明する。なお、本発明においては、化合物が塩である場合は、インク中では塩はイオンに解離して存在しているが、便宜上、「塩を含有する」と表現する。また、インクジェット用のインクのことを、単に「インク」と記載することがある。また、物性値は、特に断りのない限り、常温（２５℃）における値とする。
【００１５】
本発明者らは、発色性及び耐湿性が両立した画像を記録しうる色材について検討した。マゼンタ色を呈する色材としては、アゾ系色材、キサンテン系色材、及びアントラピリドン系色材などある。しかし、これらの色材のうちの１種のみを含有するインクを用いても、発色性及び耐湿性が高いレベルで両立した画像を記録することはできなかった。また、アゾ系色材とアントラピリドン系色材の併用や、アゾ系色材とキサンテン系色材の併用であっても、発色性及び耐湿性を満足するレベルで両立させることはできなかった。
【００１６】
そこで、本発明者らは、アントラピリドン系色材とキサンテン系色材を含有するインクについて検討した。その結果、特定のアントラピリドン系色材と、特定のキサンテン系色材を併用すると、発色性及び耐湿性がいずれも向上した画像を記録できることがわかった。具体的には、一般式（１）で表される化合物と一般式（２）で表される化合物を併用することで、発色性及び耐湿性が高いレベルで両立した画像を記録できることがわかった。特に、一般式（１）で表される化合物及び一般式（２）で表される化合物を併用したインクを用いると、これらの化合物をそれぞれ単独で含有するインクを用いた場合に比べて、画像の耐湿性が顕著に向上することが判明した。
【００１７】
一般式（１）で表される化合物及び一般式（２）で表される化合物を併用することで、発色性及び耐湿性が高いレベルで両立した画像を記録可能となる理由について、本発明者らは以下のように推測している。高湿条件下での画像劣化は、湿度によって画像に色調変化や滲みが発生する現象である。アントラピリドン系色材及びキサンテン系色材は、一般的に、湿度変化によって色調が緑味の方向へと変化する。これに対して、一般式（１）で表される化合物は、湿度変化によって色調が緑味の方向へと変化する。すなわち、湿度に応じて変化する色の方向性が異なる色材を併用することで、色材をそれぞれ単独で用いた場合に比して、色変化が緩和されたものと考えられる。湿度変化により色調が緑味の方向へと変化する一般式（１）で表される化合物と、発色性に優れ、湿度変化により色調が青味の方向へと変化する一般式（２）で表される化合物とを併用することで、発色性及び耐湿性に優れた画像を記録可能になったものと考えられる。
【００１８】
＜インク＞
本発明のインクは、第１の色材及び第２の色材を含有するインクジェット用のインクである。そして、第１の色材が一般式（１）で表される化合物であり、第２の色材が一般式（２）で表される化合物である。本発明のインクに含有させる成分やインクの物性などについて詳細に説明する。
【００１９】
（第１の色材）
本発明のインクは、下記一般式（１）で表される化合物を第１の色材として含有する。この第１の色材はマゼンタ色を呈する水溶性の染料であり、マゼンタの色調を有するインクの色材として好適に用いることができる。
【００２０】
2017171730.tif 000005
（前記一般式（１）中、Ｒ1はそれぞれ独立に、水素原子、アルキル基、ヒドロキシアルキル基、シクロアルキル基、モノアルキルアミノアルキル基、又はジアルキルアミノアルキル基を表し、Ｒ2はそれぞれ独立に、下記式（ｉ）乃至（ｉｖ）のいずれかで表される基を表し、Ｘは連結基を表し、Ｍはそれぞれ独立に、水素原子、アルカリ金属、アンモニウム、又は有機アンモニウムを表す）
【００２１】
2017171730.tif 000006
（前記式（ｉ）及び（ｉｉ）中、Ｍはそれぞれ独立に、水素原子、アルカリ金属、アンモニウム、又は有機アンモニウムを表す。前記式（ｉｖ）中、Ｒ3は水素原子、アルキル基、又はアルコキシ基を表す）
【００２２】
一般式（１）中のＲ1は、それぞれ独立に、水素原子、アルキル基、ヒドロキシアルキル基、シクロアルキル基、モノアルキルアミノアルキル基、又はジアルキルアミノアルキル基を表す。
【００２３】
アルキル基としては、炭素数１乃至８のアルキル基を挙げることができる。より具体的には、メチル、エチル、ｎ−プロピル、ｎ−ブチル、ｎ−ペンチル、ｎ−へキシル、ｎ−へプチル、及びｎ−オクチルなどの直鎖アルキル基；ｉｓｏ−プロピル、ｓｅｃ−ブチル、ｔ−ブチル、ｉｓｏ−ブチルなどの分岐鎖アルキル基を挙げることができる。
【００２４】
ヒドロキシアルキル基としては、炭素数１乃至４のヒドロキシアルキル基を挙げることができる。より具体的には、ヒドロキシメチル、ヒドロキシエチル、ヒドロキシプロピル、及びヒドロキシブチルなどを挙げることができる。ヒドロキシアルキル基を構成するアルキルとしては、直鎖、分岐鎖、及び環状のアルキルを挙げることができる。なかでも、直鎖アルキルが好ましい。また、アルキルにおけるヒドロキシの置換位置はいずれの位置でもよいが、アルキルの末端にヒドロキシが置換していることが好ましい。このようなヒドロキシアルキル基としては、例えば、２−ヒドロキシエチル、３−ヒドロキシプロピル、及び４−ヒドロキシブチルなどを挙げることができる。
【００２５】
シクロアルキル基としては、炭素数３乃至８のシクロアルキル基を挙げることができる。より具体的には、シクロプロピル、シクロブチル、シクロペンチル、シクロへキシル、シクロヘプチル、及びシクロオクチルなどを挙げることができる。
【００２６】
モノアルキルアミノアルキル基としては、モノ−炭素数１乃至４アルキルアミノ−炭素数１乃至４アルキル基を挙げることができる。より具体的には、モノメチルアミノプロピル、及びモノエチルアミノプロピルなどを挙げることができる。
【００２７】
ジアルキルアミノアルキル基の例としては、ジ−炭素数１乃至４アルキルアミノ−炭素数１乃至４アルキル基を挙げることができる。より具体的には、ジメチルアミノプロピル、及びジエチルアミノエチルなどを挙げることができる。
【００２８】
本発明においては、一般式（１）中のＲ1が、水素原子、アルキル基、又はシクロヘキシルであることが好ましく、水素原子又はアルキル基がさらに好ましく、メチル基が特に好ましい。
【００２９】
一般式（１）中のＲ2は、それぞれ独立に、下記式（ｉ）乃至（ｉｖ）のいずれかで表される基を表す。式（ｉ）及び（ｉｉ）中のＭは、それぞれ独立に、水素原子、アルカリ金属、アンモニウム、又は有機アンモニウムを表す。また、式（ｉｖ）中のＲ3は、水素原子、アルキル基、又はアルコキシ基を表す。
2017171730.tif 000007
【００３０】
式（ｉ）で表される基の具体例としては、カルボキシ基が置換している、１−ナフチルオキシ、２−ナフチルオキシを挙げることができる。なかでも、２−ナフチルオキシが好ましい。カルボキシ基の置換位置は、酸素原子の置換位置を１位としたときに、５位、６位、７位、又は８位が好ましく、６位がさらに好ましい。
【００３１】
式（ｉｉ）乃至（ｉｖ）において、置換位置が特定されていない原子団の置換位置は、ベンゼン環における酸素原子の置換位置を１位としたときに、２位又は４位が好ましく、４位がさらに好ましい。
【００３２】
式（ｉｖ）中のＲ3は、水素原子、アルキル基、又はアルコキシ基を表す。Ｒ3は、アルキル基又はアルコキシ基が好ましく、アルコキシ基がさらに好ましい。Ｒ3におけるアルキル基としては、直鎖、分岐鎖、及び環状のアルキル基を挙げることができる。なかでも、直鎖アルキルが好ましい。Ｒ3におけるアルキル基の炭素数は１乃至８であることが好ましく、１乃至６であることがさらに好ましく、１乃至４であることが特に好ましい。アルキル基の具体例としては、メチル、エチル、ｎ−プロピル、ｎ−ブチル、ｎ−ペンチル、ｎ−ヘキシル、ｎ−ヘプチル、ｎ−オクチルなどの直鎖アルキル基；ｉｓｏ−プロピル、ｉｓｏ−ブチル、ｓｅｃ−ブチル、ｔ−ブチル、ｉｓｏ−ペンチル、ｉｓｏ−ヘキシル、ｉｓｏ−ヘプチル、ｉｓｏ−オクチルなどの分岐鎖アルキル基；シクロプロピル、シクロブチル、シクロペンチル、シクロへキシル、シクロヘプチル、及びシクロオクチルなどのシクロアルキル基を挙げることができる。
【００３３】
Ｒ3におけるアルコキシ基としては、直鎖及び分岐鎖のアルコキシ基を挙げることができる。なかでも、直鎖アルコキシ基が好ましい。Ｒ3におけるアルコキシ基の炭素数は１乃至８であることが好ましく、１乃至６であることがさらに好ましく、１乃至４であることが特に好ましい。アルコキシ基の具体例としては、メトキシ、エトキシ、ｎ−プロポキシ、ｎ−ブトキシ、ｎ−ペントキシ、ｎ−ヘキシロキシ、ｎ−ヘプチロキシ、ｎ−オクチロキシなどの直鎖アルコキシ基；ｉｓｏ−プロポキシ、ｉｓｏ−ブトキシ、ｓｅｃ−ブトキシ、ｔ−ブトキシ、ｉｓｏ−ペンチロキシ、ｉｓｏ−ヘキシロキシ、ｉｓｏ−ヘプチロキシ、ｉｓｏ−オクチロキシなどの分岐鎖アルコキシ基を挙げることができる。なかでも、ｎ−プロポキシが好ましい。
【００３４】
一般式（１）中のＲ2は、式（ｉ）、式（ｉｉ）、又は式（ｉｖ）で表される基であることが好ましく、下記式（ｖ）、下記式（ｖｉ）、又は下記式（ｖｉｉ）で表される基であることがさらに好ましい。
2017171730.tif 000008
【００３５】
一般式（１）中のＸは連結基である。この連結基としては、以下に示す連結基１乃至７を挙げることができる。なお、以下に示す連結基１乃至７中の「＊」を付した結合手は、各窒素原子の結合手である。このため、連結基１乃至７中の各窒素原子は、一般式（１）中の２つの異なるトリアジン環とそれぞれ直接結合する。以下に示す連結基のなかでも下記連結基１又は下記連結基２が特に好ましい。
【００３６】
2017171730.tif 000009
（連結基１中、ｎは２乃至８の数を表し、好ましくは２乃至６、さらに好ましくは２である。＊はそれぞれ異なる２つのトリアジン環との結合部位を表す）
【００３７】
2017171730.tif 000010
（連結基２中、Ｒaはそれぞれ独立に、水素原子又はメチル基を表す。＊はそれぞれ異なる２つのトリアジン環との結合部位を表す）
【００３８】
2017171730.tif 000011
（連結基３中、＊はそれぞれ異なる２つのトリアジン環との結合部位を表す）
【００３９】
2017171730.tif 000012
（連結基４中、＊はそれぞれ異なる２つのトリアジン環との結合部位を表す）
【００４０】
2017171730.tif 000013
（連結基５中、＊はそれぞれ異なる２つのトリアジン環との結合部位を表す）
【００４１】
2017171730.tif 000014
（連結基６中、ｎは２乃至４の数を表す。＊はそれぞれ異なる２つのトリアジン環との結合部位を表す）
【００４２】
2017171730.tif 000015
（連結基７中、＊はそれぞれ異なる２つのトリアジン環との結合部位を表す）
【００４３】
一般式（１）、式（ｉ）、式（ｉｉ）、式（ｖ）、及び式（ｖｉ）中のＭは、それぞれ独立に、水素原子、アルカリ金属、アンモニウム、又は有機アンモニウムである。アルカリ金属の具体例としては、リチウム、ナトリウム、及びカリウムなどを挙げることができる。有機アンモニウムの具体例としては、アセトアミド、ベンズアミド、トリメチルアミノ、ブチルアミノ、ジエチルアミノ、フェニルアミノ、トリエタノールアミノなどを挙げることができる。Ｍは、いずれもナトリウムであることが好ましい。
【００４４】
一般式（１）で表される化合物の好ましい具体例としては、表１に示す例示化合物１〜２３を挙げることができる。勿論、一般式（１）で表される化合物は、一般式（１）の構造及びその定義に包含されるものであれば、下記の例示化合物に限られるものではない。
【００４５】
2017171730.tif 000016
【００４６】
本発明においては、より高いレベルの発色性及び耐湿性が得られるため、一般式（１）において、Ｒ1が水素原子又は炭素数１乃至４の直鎖アルキル基であり、かつ、Ｘが連結基１又は連結基２であることが好ましい。具体的には、上記の例示化合物のなかでも、例示化合物１〜４、６、７、１５、１６、１８、及び２１〜２３が好ましい。また、より高いレベルの耐湿性及び耐オゾン性が得られるため、第１の色材が、下記一般式（３）で表される化合物（Ｍはそれぞれ独立に、水素原子、アルカリ金属、アンモニウム、又は有機アンモニウムを表す）であることが好ましい。なお、一般式（３）で表される化合物を遊離酸型として示したものが表１における例示化合物１である。
【００４７】
2017171730.tif 000017
（前記一般式（３）中、Ｍはそれぞれ独立に、水素原子、アルカリ金属、アンモニウム、又は有機アンモニウムを表す）
【００４８】
（第２の色材）
本発明のインクは、下記一般式（２）で表される化合物を第２の色材として含有する。この第２の色材はマゼンタ色を呈する水溶性の染料であり、マゼンタの色調を有するインクの色材として好適に用いることができる。
【００４９】
2017171730.tif 000018
（前記一般式（２）中、Ｒ1はそれぞれ独立に、アルキル基、又はシクロアルキル基を表し、Ｍはそれぞれ独立に、水素原子、アルカリ金属、アンモニウム、又は有機アンモニウムを表す）
【００５０】
一般式（２）中、Ｒ1はそれぞれ独立に、アルキル基、又はシクロアルキル基を表す。アルキル基としては、炭素数１乃至６、好ましくは炭素数１乃至３の、直鎖又は分岐鎖のアルキル基を挙げることができる。アルキル基は置換基を有してもよい。このような置換基としては、ヒドロキシ基；メトキシ基、エトキシ基、プロポキシ基などの炭素数１乃至３のアルコキシ基；シアノ基；フッ素原子、塩素原子、臭素原子などのハロゲン原子；などを挙げることができる。アルキル基としては、置換基を有するものも含めると、メチル基、エチル基、ｎ−プロピル基、イソプロピル基、ｎ−ブチル基、イソブチル基、ｓｅｃ−ブチル基、ｔｅｒｔ−ブチル基、１−メチルブチル基、ｎ−ペンチル基、ｎ−ヘキシル基などの無置換アルキル基；２−ヒドロキシエチル基、２−メトキシエチル基、２−シアノエチル基、トリフルオロメチル基などの置換アルキル基；を挙げることができる。
【００５１】
シクロアルキル基としては、炭素数５乃至１２の、単環又は複環のシクロアルキル基を挙げることができる。シクロアルキル基は、置換基を有してもよい。このような置換基としては、ヒドロキシ基；メトキシ基、エトキシ基、プロポキシ基などの炭素数１乃至３のアルコキシ基；シアノ基；フッ素原子、塩素原子、臭素原子などのハロゲン原子；などを挙げることができる。シクロアルキル基としては、置換基を有するものも含めると、シクロペンチル基、シクロヘキシル基、シクロヘプチル基、シクロオクチル基、シクロデシル基、シクロドデシル基などの無置換シクロアルキル基；１−イソプロピルシクロヘキシル基、２，３−ジメチルシクロヘキシル基、２，５−ジメチルシクロヘキシル基、２，６−ジメチルシクロヘキシル基、３，４−ジメチルシクロヘキシル基、３，５−ジメチルシクロヘキシル基、２，４，６−トリメチルシクロヘキシル基、３，３，５−トリメチルシクロヘキシル基、１−イソプロピルシクロヘキシル基、２，６−ジイソプロピルシクロヘキシル基、４−ｔｅｒｔ−ブチルシクロヘキシル基、３−ｔｅｒｔ−ブチルシクロヘキシル基などの置換シクロアルキル基；を挙げることができる。
【００５２】
記録される画像の発色性、及び一般式（２）で表される化合物の合成の容易さの観点から、２つのＲ1が同一の基であることが好ましい。
【００５３】
一般式（２）中、Ｍはそれぞれ独立に、水素原子、アルカリ金属、アンモニウム、又は有機アンモニウムを表す。アルカリ金属の具体例としては、リチウム、ナトリウム、及びカリウムなどを挙げることができる。有機アンモニウムの具体例としては、アセトアミド、ベンズアミド、トリメチルアミノ、ブチルアミノ、ジエチルアミノ、フェニルアミノ、トリエタノールアミノなどを挙げることができる。本発明においては、Ｍがいずれもナトリウムであることが好ましい。
【００５４】
（色材の含有量）
インク中の第１の色材の含有量（質量％）は、インク全質量を基準として、０．０１質量％以上１０．００質量％以下であることが好ましい。インク中の第２の色材の含有量（質量％）は、インク全質量を基準として、０．０１質量％以上１０．００質量％以下であることが好ましい。また、インク中の第１の色材及び第２の色材の合計の含有量は、吐出特性などのインクジェット用のインクとしての信頼性を満たす範囲であれば特に限定されない。インク中の第１の色材及び第２の色材の合計の含有量（質量％）は、０．０１質量％以上１０．００質量％以下であることが好ましい。
【００５５】
インク全質量を基準とした、第２の色材の含有量Ｂ（質量％）は、第１の色材の含有量Ａ（質量％）に対する質量比率で、０．０５倍以上９．００倍以下であることが好ましい。すなわち、「第２の色材の含有量Ｂ（質量％）」／「第１の色材の含有量Ａ（質量％）」＝０．０５倍以上９．００倍以下であることが好ましい。上記の質量比率が０．０５倍未満であると、画像の発色性が不足する場合がある。一方、上記の質量比率が９．００倍超であると、画像の耐湿性が不足する場合がある。
【００５６】
（水性媒体）
本発明のインクには、水、又は水及び水溶性有機溶剤の混合溶媒である水性媒体を含有させることができる。本発明のインクは、水性媒体として少なくとも水を含有する水性インクであることが好ましい。水は、脱イオン水（イオン交換水）を用いることが好ましい。インク中の水の含有量（質量％）は、インク全質量を基準として、１０．００質量％以上９０．００質量％以下であることが好ましい。
【００５７】
水溶性有機溶剤は、水溶性であれば特に制限はなく、１価又は多価のアルコール類、アルキレングリコール類、グリコールエーテル類、含窒素極性化合物類、含硫黄極性化合物類などを用いることができる。インク中の水溶性有機溶剤の含有量（質量％）は、インク全質量を基準として、５．００質量％以上９０．００質量％以下であることが好ましく、１０．００質量％以上５０．００質量％以下であることがさらに好ましい。水溶性有機溶剤の含有量が上記した範囲を外れると、インクの吐出安定性が不足する場合がある。
【００５８】
（添加剤）
本発明のインクには、上記成分の他に必要に応じて、トリメチロールプロパン、トリメチロールエタンなどの多価アルコール類；尿素、エチレン尿素などの尿素誘導体などの、常温で固体の水溶性有機化合物を含有させてもよい。さらに、本発明のインクには、必要に応じて、界面活性剤、ｐＨ調整剤、防錆剤、防腐剤、防黴剤、酸化防止剤、還元防止剤、蒸発促進剤、キレート化剤、及び水溶性樹脂などの種々の添加剤を含有させてもよい。
【００５９】
（インクの物性）
本発明のインクの２５℃における表面張力は、１０ｍＮ／ｍ以上６０ｍＮ／ｍ以下であることが好ましく、２０ｍＮ／ｍ以上６０ｍＮ／ｍ以下であることがさらに好ましく、３０ｍＮ／ｍ以上４０ｍＮ／ｍ以下であることが特に好ましい。インクの表面張力を上記した範囲内とすることで、インクジェット方式に適用した際に吐出口近傍の濡れによる吐出よれ（インクの着弾点のズレ）などの発生を有効に抑制することが可能となる。インクの表面張力は、インク中の界面活性剤や水溶性有機溶剤などの含有量を適宜設定することで調整することができる。また、インクジェット方式の記録ヘッドの吐出口から吐出する際に良好な吐出特性が得られるように、インクの粘度を調整することが好ましい。本発明のインクの２５℃における粘度は、１．０ｍＰａ・ｓ以上５．０ｍＰａ・ｓであることが好ましく、１．０ｍＰａ・ｓ以上３．０ｍＰａ・ｓ以下であることがさらに好ましい。
【００６０】
（その他のインク）
フルカラーの画像などを記録するために、本発明のインクと、本発明のインクとは別の色相を有するその他のインクとを組み合わせて用いることができる。その他のインクとしては、例えば、ブラックインク、シアンインク、イエローインク、レッドインク、グリーンインク、及びブルーインクからなる群より選択される少なくとも一種のインクを挙げることができる。その他のインクに用いられる色材は、公知の染料であっても、新規に合成された染料であってもよい。
【００６１】
＜インクカートリッジ＞
本発明のインクカートリッジは、インクと、このインクを収容するインク収容部とを備える。そして、このインク収容部に収容されているインクが、上記で説明した本発明のインクである。図１は、本発明のインクカートリッジの一実施形態を模式的に示す断面図である。図１に示すように、インクカートリッジの底面には、記録ヘッドにインクを供給するためのインク供給口１２が設けられている。インクカートリッジの内部はインクを収容するためのインク収容部となっている。インク収容部は、インク収容室１４と、吸収体収容室１６とで構成されており、これらは連通口１８を介して連通している。また、吸収体収容室１６はインク供給口１２に連通している。インク収容室１４には液体のインク２０が収容されており、吸収体収容室１６には、インクを含浸状態で保持する吸収体２２及び２４が収容されている。インク収容部は、液体のインクを収容するインク収容室を持たず、収容されるインク全量を吸収体により保持する形態であってもよい。また、インク収容部は、吸収体を持たず、インクの全量を液体の状態で収容する形態であってもよい。さらには、インク収容部と記録ヘッドとを有するように構成された形態のインクカートリッジとしてもよい。
【００６２】
＜インクジェット記録方法＞
本発明のインクジェット記録方法は、上記で説明した本発明のインクをインクジェット方式の記録ヘッドから吐出して記録媒体に画像を記録する方法である。インクを吐出する方式としては、インクに力学的エネルギーを付与する方式や、インクに熱エネルギーを付与する方式が挙げられる。本発明においては、インクに熱エネルギーを付与してインクを吐出する方式を採用することが特に好ましい。本発明のインクを用いること以外、インクジェット記録方法の工程は公知のものとすればよい。
【００６３】
図２は、本発明のインクジェット記録方法に用いられるインクジェット記録装置の一例を模式的に示す図であり、（ａ）はインクジェット記録装置の主要部の斜視図、（ｂ）はヘッドカートリッジの斜視図である。インクジェット記録装置には、記録媒体３２を搬送する搬送手段（不図示）、及びキャリッジシャフト３４が設けられている。キャリッジシャフト３４にはヘッドカートリッジ３６が搭載可能となっている。ヘッドカートリッジ３６は記録ヘッド３８及び４０を具備しており、インクカートリッジ４２がセットされるように構成されている。ヘッドカートリッジ３６がキャリッジシャフト３４に沿って主走査方向に搬送される間に、記録ヘッド３８及び４０から記録媒体３２に向かってインク（不図示）が吐出される。そして、記録媒体３２が搬送手段（不図示）により副走査方向に搬送されることによって、記録媒体３２に画像が記録される。
【実施例】
【００６４】
以下、実施例及び比較例を挙げて本発明をさらに詳細に説明するが、本発明は、その要旨を超えない限り、下記の実施例によって何ら限定されるものではない。なお、成分量に関して「部」及び「％」と記載しているものは特に断らない限り質量基準である。
【００６５】
＜例示化合物１〜４、比較化合物１の合成＞
特許文献２の記載を参考にして、遊離酸型として以下に示す構造式で表される例示化合物１及び２を合成した。その後、常法にしたがってイオン交換を行い、ナトリウム塩型の化合物（これらの化合物を「化合物Ａ」及び「化合物Ｂ」と記す）を得た。また、特許文献３の記載を参考にして、遊離酸型として以下に示す構造式で表される例示化合物３及び４を合成した。その後、常法にしたがってイオン交換を行い、ナトリウム塩型の化合物（これらの化合物を「化合物Ｃ」及び「化合物Ｄ」と記す）を得た。さらに、特許文献１の記載を参考にして、遊離酸型として以下に示す構造式で表される比較化合物１を合成した。その後、常法にしたがってイオン交換を行い、ナトリウム塩型の化合物（この化合物を「化合物Ｅ」と記す）を得た。
【００６６】
2017171730.tif 000019
【００６７】
2017171730.tif 000020
【００６８】
2017171730.tif 000021
【００６９】
2017171730.tif 000022
【００７０】
2017171730.tif 000023
【００７１】
＜インクの調製＞
表２の上段に示す各成分（単位：％）を混合し、十分に撹拌した後、ポアサイズ０．２０μｍのフィルター（富士フイルム製）で加圧ろ過して各インクを調製した。表２中の「アセチレノールＥ１００」は、ノニオン性界面活性剤（川研ファインケミカル製）の商品名である。表２の下段には、インク中の第１の色材の含有量Ａ（％）、第２の色材の含有量Ｂ（％）、及び「Ｂ／Ａの値（倍）」を示した。
【００７２】
2017171730.tif 000024
【００７３】
＜評価＞
上記で得られた各インクをそれぞれインクカートリッジに充填し、熱エネルギーの作用により記録ヘッドからインクを吐出するインクジェット記録装置（商品名「ＰＩＸＵＳ  ｉＰ８６００」、キヤノン製）に搭載した。本実施例においては、１／６００インチ×１／６００インチの単位領域に２２．４ｎｇのインクを付与して記録したベタ画像を「記録デューティが１００％である」と定義する。画像の測色は、分光光度計（商品名「Ｓｐｅｃｔｒｏｌｉｎｏ」、Ｇｒｅｔａｇ  Ｍａｃｂｅｔｈ製）を使用し、光源：Ｄ５０、視野：２°の条件で行った。Ｌ*、ａ*及びｂ*は、ＣＩＥ（国際照明委員会）により規定されたＬ*ａ*ｂ*表示系におけるＬ*、ａ*及びｂ*である。本発明においては、以下に示す各項目の評価基準で、「Ａ」及び「Ｂ」を許容できるレベル、「Ｃ」を許容できないレベルとした。評価結果を表３に示す。
【００７４】
（発色性）
上記のインクジェット記録装置を使用し、温度２３℃、相対湿度５５％の環境で、記録媒体（光沢紙、商品名「キヤノン写真用紙・光沢  プロ  ［プラチナグレード］」、キヤノン製）に、記録デューティが１００％であるベタ画像を記録して記録物を得た。ベタ画像の光学濃度を測定し、以下に示す評価基準にしたがって画像の発色性を評価した。
Ａ：光学濃度が１．８０以上であった。
Ｂ：光学濃度が１．４０以上１．８０未満であった。
Ｃ：光学濃度が１．４０未満であった。
【００７５】
（耐湿性）
上記のインクジェット記録装置を使用し、温度２３℃、相対湿度５５％の環境で、記録媒体（光沢紙、商品名「キヤノン写真用紙・光沢  プロ  ［プラチナグレード］」、キヤノン製）に、記録デューティが１００％であるベタ画像を記録して記録物を得た。得られた記録物を温度２３℃、相対湿度５０％の環境下で２４時間乾燥させた後、Ｌ*、ａ*及びｂ*を測定した（Ｌ1*、ａ1*及びｂ1*とする）。次いで、記録物を温度２５℃、相対湿度８５％に設定した恒温槽に１週間載置した後、Ｌ*、ａ*及びｂ*を測定した（Ｌ2*、ａ2*及びｂ2*とする）。そして、ΔＥ＝｛（Ｌ2*−Ｌ1*）2＋（ａ2*−ａ1*）2（ｂ2*−ｂ1*）2｝1/2の式に基づき色変化ΔＥを算出し、以下に示す評価基準にしたがって画像の耐湿性を評価した。
Ａ：ΔＥが５未満であった。
Ｂ：ΔＥが５以上７未満であった。
Ｃ：ΔＥが７以上であった。
【００７６】
2017171730.tif 000025
【図１】
2017171730.tif 000030
【図２】
2017171730.tif 000031